(57)【要約】【課題】  溶接を不要とした水抜きボルト・ナット及びこれを使用した鋼箱の滞水防止用水抜き構造を提供すること。【解決手段】  鋼製箱形状構造物の底板１１３に貫通孔１３１が形成され、その貫通１３１孔から鋼製箱形状構造物内の水を落下させて排水するようにしたものであって、貫通孔１３１には底板１１３を通して一方から水抜きボルト１Ａが差し込まれ、その底板１３１の他方で水抜きナット１Ｂが螺設されたものであり、その水抜きボルト１Ａと水抜きナット１Ｂには、一連の水抜き流路１３，１４，１５が形成された鋼箱の滞水防止用水抜き構造。【選択図】        図１
2006299750.tif 000002
【特許請求の範囲】
【請求項１】
板材に形成された排水用の貫通孔に取り付けられた水抜きボルトと、その水抜きボルトに螺設された水抜きナットからなり、
その水抜きボルトと水抜きナットに一連の水抜き流路が形成されたものであることを特徴とする水抜きボルト・ナット。
【請求項２】
請求項１に記載する水抜きボルト・ナットにおいて、
前記水抜きボルトには、ボルトヘッドを貫通した複数の排水孔と、その排水孔に延長してネジ部に干渉した案内溝とが形成され、前記水抜きナットには、前記底面に当接する座面側に複数の排水溝が形成され、螺設された水抜きボルトと水抜きナットには、排水溝と案内溝及び排水孔が連通して水抜き流路が構成されるようにしたものであることを特徴とする水抜きボルト・ナット。
【請求項３】
請求項２に記載する水抜きボルト・ナットにおいて、
前記水抜きボルト及び水抜きナットは、複数ある排水孔及び案内溝と排水溝とが部分的に重なるように、個数や大きさがそれぞれ形成されたものであることを特徴とする水抜きボルト・ナット。
【請求項４】
鋼製箱形状構造物の底板に貫通孔が形成され、その貫通孔から鋼製箱形状構造物内の水を落下させて排水するようにした鋼箱の滞水防止用水抜き構造において、
前記貫通孔には底板を通して一方から水抜きボルトが差し込まれ、その底板の他方で水抜きナットが螺設されたものであり、その水抜きボルトと水抜きナットには、一連の水抜き流路が形成されたものであることを特徴とする鋼箱の滞水防止用水抜き構造。
【請求項５】
請求項４に記載する鋼箱の滞水防止用水抜き構造において、
前記水抜きボルトには、ボルトヘッドを貫通した複数の排水孔と、その排水孔に延長してネジ部に干渉した案内溝とが形成され、前記水抜きナットには、前記底面に当接する座面側に複数の排水溝が形成され、螺設された水抜きボルトと水抜きナットには、排水溝と案内溝及び排水孔が連通して水抜き流路が構成されるようにしたものであることを特徴とする鋼箱の滞水防止用水抜き構造。
【請求項６】
請求項５に記載する鋼箱の滞水防止用水抜き構造において、
前記水抜きボルトは底板の下方から貫通孔に挿入され、突き抜けた底板の上方側で前記水抜きナットが螺設されたものであることを特徴とする鋼箱の滞水防止用水抜き構造。
【請求項７】
請求項６に記載する鋼箱の滞水防止用水抜き構造において、
前記底板の下面と前記水抜きボルトのボルトヘッドとの間に座金を挟み込んで密着させたものであることを特徴とする鋼箱の滞水防止用水抜き構造。
【請求項８】
請求項５乃至請求項７のいずれかに記載する鋼箱の滞水防止用水抜き構造において、
前記水抜きボルト及び水抜きナットは、複数ある排水孔及び案内溝と排水溝とが部分的に重なるように、個数や大きさがそれぞれ形成されたものであることを特徴とする鋼箱の滞水防止用水抜き構造。
【発明の詳細な説明】
【技術分野】
【０００１】
本発明は、橋梁の鋼製箱桁、橋脚あるいはそうした鋼製箱形状構造物の内部の水を排水するためのものであって、特に、ボルトを使用して鋼部材の疲労耐久性や防錆能力を向上させるなどした水抜きボルト・ナット及びこれを使用した鋼箱の滞水防止用水抜き構造に関する。
【背景技術】
【０００２】
橋梁を構成する鋼製箱桁などには、ジョイント部分の隙間などから水が浸入し、内面結露などによって腐食が生じるため、従来から、鋼箱内に浸入した水の排水や除湿剤を使用した防錆対策が施されている。従来の対策として特開２００３−８９８８８号公報に開示されたものを挙げることができる。図９は、当該公報に記載された、鋼製箱桁で構成された橋梁の橋桁を示した一部切欠き概略斜視図である。
【０００３】
この橋桁は、床板１００の下面に鋼製箱桁１１０が構築されている。鋼製箱桁１１０は、横桁１２０を挟んで左右に２本設けられ、床板１００の長さ方向に並列している。床板１００の下面には上フランジ１１１が配置され、その上フランジ１１１とウエブ１１２を介して下フランジ１１３が連結される。鋼製箱桁１１０の内部は、長さ方向に端ダイヤフラム１１４が配置され区画されており、その他にも補強用の横リブ１１５や縦リブ１１６などが設けられている。そして、平行する一対の鋼製箱桁１１０，１１０は、その間に設けられた横桁１２０によって連結されている。
【０００４】
鋼製箱桁１１０は、下フランジ１１３の適宜個所には滞水防止用水抜き構造が設けられている。図１０は、構成箱桁１１０に構成された鋼箱の滞水防止用水抜き構造を示した断面図である。この水抜き部１３０は、下フランジ１１３に穿設された貫通孔１３１に排水管１３２を設け、この排水管１３２の開口にゴム製ダンパー１３３を取付けられている。ダンパー１３３は、バネで常時開口に圧接させたり、鋼板製として開口との接触面にゴム板を添接したものとなっている。
従って、隙間から鋼製箱桁１１０内に浸入した雨水などは、下フランジ１１３を流れて水抜き部１３０の貫通孔１３１へ流れ込む。そうした水は排水管１３２内を流れ、ダンパー１３３で閉じられた先端に溜まり、その圧力が高くなってところで２点鎖線で示すようにダンパー１３３が開いて排水する。排水後には、ダンパー１３３は実線で示すように自重で排水管１３２の開口を閉じる。
【特許文献１】特開２００３−８９８８８号公報（第３頁、図１、図４）
【発明の開示】
【発明が解決しようとする課題】
【０００５】
しかしながら、図１０に示した鋼箱の滞水防止用水抜き構造は、下フランジ１１３に穿設された貫通孔１３１に対して排水管１３２がはめ込まれ、鋼箱の外側から溶接によって取り付ける構造では、鋼部材の疲労耐久性が低下するとともに、溶接の不溶着部からの発錆による影響を受けることになってしまった。すなわち、下フランジ１１３の貫通孔に応力集中を受けるため、他の部分に比べて疲労が大きく錆の影響により耐久性が低下することになる。
【０００６】
また、排水管１３２は、通常、鋼製箱桁１１０の外側つまり下フランジ１１３の下側から貫通孔１３１の外周に沿って円周上に溶接が行われる。すると、鋼製箱桁１１０内部では、排水管１３２端面の地金がむき出しになっていたり、溶接の熱によって防錆のコーティングがはがれてしまい、そうした箇所から錆が発生してしまう。一部にでも錆が発生すれば、その腐食が進展して、排水管１３２からは錆水が落ちることにもなる。
更に、こうした鋼箱の滞水防止用水抜き構造は、排水管３１の円周状に溶接しなければならないため、その溶接による取り付け自体が手間のかかる作業であった。それに、橋脚としても鋼製箱桁１１０からとび出したような排水管１３２は外観を損なうものでもあった。
【０００７】
そこで、本発明は、かかる課題を解決すべく、溶接を不要とした水抜きボルト・ナット及びこれを使用した鋼箱の滞水防止用水抜き構造を提供することを目的とする。
【課題を解決するための手段】
【０００８】
本発明に係る水抜きボルト・ナットは、板材に形成された排水用の貫通孔に取り付けられた水抜きボルトと、その水抜きボルトに螺設された水抜きナットからなり、その水抜きボルトと水抜きナットに一連の水抜き流路が形成されたものであることを特徴とする。
【０００９】
また、本発明に係る水抜きボルト・ナットは、前記水抜きボルトには、ボルトヘッドを貫通した複数の排水孔と、その排水孔に延長してネジ部に干渉した案内溝とが形成され、前記水抜きナットには、前記底面に当接する座面側に複数の排水溝が形成され、螺設された水抜きボルトと水抜きナットには、排水溝と案内溝及び排水孔が連通して水抜き流路が構成されるようにしたものであることが好ましい。
また、本発明に係る水抜きボルト・ナットは、前記水抜きボルト及び水抜きナットが、複数ある排水孔及び案内溝と排水溝とが部分的に重なるように、個数や大きさがそれぞれ形成されたものであることが好ましい。
【００１０】
一方、本発明に係る鋼箱の滞水防止用水抜き構造は、鋼製箱形状構造物の底板に貫通孔が形成され、その貫通孔から鋼製箱形状構造物内の水を落下させて排水するようにしたものであって、前記貫通孔には底板を通して一方から水抜きボルトが差し込まれ、その底板の他方で水抜きナットが螺設されたものであり、その水抜きボルトと水抜きナットには、一連の水抜き流路が形成されたものであることを特徴とする。
【００１１】
また、本発明に係る鋼箱の滞水防止用水抜き構造は、前記水抜きボルトには、ボルトヘッドを貫通した複数の排水孔と、その排水孔に延長してネジ部に干渉した案内溝とが形成され、前記水抜きナットには、前記底面に当接する座面側に複数の排水溝が形成され、螺設された水抜きボルトと水抜きナットには、排水溝と案内溝及び排水孔が連通して水抜き流路が構成されるようにしたものであることが好ましい。
また、本発明に係る鋼箱の滞水防止用水抜き構造は、前記水抜きボルトは底板の下方から貫通孔に挿入され、突き抜けた底板の上方側で前記水抜きナットが螺設されたものであることが好ましい。
【００１２】
また、本発明に係る鋼箱の滞水防止用水抜き構造は、前記底板の下面と前記水抜きボルトのボルトヘッドとの間に座金を挟み込んで密着させたものであることが好ましい。
また、本発明に係る鋼箱の滞水防止用水抜き構造は、前記水抜きボルト及び水抜きナットは、複数ある排水孔及び案内溝と排水溝とが部分的に重なるように、個数や大きさがそれぞれ形成されたものであることが好ましい。
【発明の効果】
【００１３】
よって、本発明に係る水抜きボルト・ナット及びこれを使用した鋼箱の滞水防止用水抜き構造によれば、橋梁の鋼製箱桁や橋脚などを構成する鋼箱において、溶接を使うことなく水抜きボルトと水抜きナットとを螺設して取り付けるだけの簡単な滞水防止用水抜き構造になる。そして、溶接を不要としたのでその点で錆の発生を無くすことができ、錆水の落下や、錆の腐食による鋼箱の耐久性低下を防ぐことができる。
【発明を実施するための最良の形態】
【００１４】
次に、本発明に係る水抜きボルト・ナット及びこれを使用した鋼箱の滞水防止用水抜き構造について、その一実施形態を図面を参照しながら以下に説明する。
本実施形態の滞水防止用水抜き構造は、図９に示したものと同様、橋梁を構成する鋼製箱桁や鋼製箱形の橋脚に設けられたものである。そこで、例えば鋼製箱桁は、前述したように床板の下に上フランジが配置され、その上フランジとウエブを介して下フランジが連結されたものである。そして、鋼製箱桁の場合、例えば１０〜１２ｍ程度の長さの鋼箱が工場で製造され、それが現場で連結されて橋桁を構成することになる。鋼箱の滞水防止用水抜き構造は、そうした１ブロックの鋼箱毎に構成されている。
【００１５】
次に、図１は、滞水防止用水抜き構造の第１実施形態を示した図である。本実施形態の鋼箱の滞水防止用水抜き構造は、従来例と同様に鋼製箱桁の下フランジ１１３に貫通孔１３１が穿設され、そこに水抜きボルト・ナット１が取り付けられている。この水抜きボルト・ナット１は、下フランジ１１３の貫通孔１３１を塞ぐように取り付けられ、それ自身に形成された水抜き流路を通して鋼製箱桁内の水を外へ（図面上方から下方へ）排水しようとするものである。そこで図２は、水抜きボルト・ナット１を構成する水抜きボルトを示した図であり、また、図３は、水抜きボルト・ナット１を構成する水抜きナットを示した図である。
【００１６】
こうした水抜きボルト１Ａ及び水抜きナット１Ｂは、市販のボルトとナットを加工したものであり、それぞれ次のように構成されている。
先ず、水抜きボルト１Ａは、ネジ部１１の外径が下フランジ１１３の貫通孔１３１よりも僅かに小さいものが使用され、そのボルトヘッド１２には軸方向に貫通した排水孔１３が形成されている。排水孔１３は、軸方向に見てネジ部１１に干渉する位置に形成されており、ネジ部１１には排水孔１３から延長して案内溝１４が形成されている。案内溝１４は、ネジ部１１に形成されている雄ネジを横切るようにボルト先端部にまで形成されている。こうした排水孔１３と案内溝１４は、中心軸を挟んで対称的な位置の２箇所に設けられている。
【００１７】
一方、水抜きナット１Ｂは、図１に示すように水抜きボルト１Ａに螺設された際下フランジ１１３に当接する座面側に排水溝１５が形成されている。この水抜きナット１Ｂは、６側面をもった六角ナットであり、中心を貫通したネジ孔に雌ネジが切られてネジ部１６が形成されている。そして、座面側には、ネジ部１６から側面側に突き抜けるように排水溝１５が形成され、１側面おきに等間隔で３つの排水溝１５が放射状に配置されている。
本実施形態の水抜きボルト・ナット１は、こうした水抜きボルト１Ａや水抜きナット１Ｂが螺設されたものであり、両部材とも錆対策として例えばステンレス製のものが使用される。
【００１８】
こうした水抜きボルト・ナット１は、構成箱桁を工場で組み立てる際、図１に示すように下フランジ１１３に形成された貫通孔１３１に装着される。図示するように、水抜きボルト１Ａのネジ部１１が下フランジ１１３の下側から挿入され、下フランジ１１３の上側では貫通したそのネジ部１１に水抜きナット１Ｂが螺設される。このとき、水抜きボルト１Ａのネジ部１１には案内溝１４が形成され、水抜きナット１Ｂのネジ部１６には排水溝１５が形成されているため、締め付け力は通常のボルト・ナット１より小さくなるが、本実施形態の水抜きボルト・ナット１は、部材同士の締結に用いられるものではないので、水抜きボルト・ナット１が緩まない程度でよい。ただし、橋梁の寿命は長いので、それに対応した十分な締め付け力を確保できない場合には、ダブルナットにすることも考えられる。
【００１９】
そして、水抜きナット１Ｂを水抜きボルト１Ａに螺設することにより、排水溝１５から案内溝１４、そして排水孔１３へと水抜き流路が形成されるようになる。本実施形態では、水抜きボルト１Ａには２つの排水孔１３及び案内溝１４が形成され、水抜きナット１Ｂには３つの排水溝１５が形成されているが、水抜きボルト１Ａと水抜きナット１Ｂの締め付け位置を一義的に決定できるわけではない。そこで、排水孔１３の径の大きさ（それに伴う案内溝１４の幅）及び排水溝１５の深さや幅は、前述した締め付け力とともに、２つの案内溝１４に対する排水溝１５の重なりによってある程度の排水流量が確保できる寸法で形成されている。
【００２０】
そこで、こうした構成の滞水防止用水抜き構造では、橋脚を構成する鋼製箱桁内に隙間から浸入した雨水や結露によって発生した水が溜まった場合、下フランジ１１３の貫通孔１３１に設けられた水抜きボルト・ナット１から排水される。具体的には、鋼製箱桁内の下フランジ１１３に溜まった水は、水抜きナット１Ｂに形成された排水溝１５から浸入し、その排水溝１５に重なった水抜きボルト１Ａの案内溝１４を伝わり、そして排水孔１３から落下するようにして排水される。
【００２１】
よって、本実施形態によれば、従来の滞水防止用水抜き構造のように鋼製箱桁に対して排水管を溶接するようなことがないため、水抜きボルト・ナット１の簡単な取り付けにより作業が極めて簡素化された。そして、本実施形態では、溶接を行うことなくステンレス製の水抜きボルト・ナット１を単に取り付けるだけなので、錆の発生を無くすことができた。従って、錆水の落下や、錆による腐食で鋼製箱桁の耐久性低下を防ぐことができた。
【００２２】
また、水抜きボルト・ナット１は、市販品を加工して構成されたものであるため、取り付け作業の簡易さも相まって滞水防止用水抜き構造にかかるコストを抑えることができた。
更に、従来の構造では、水が鋼製箱桁表面を流れないように排水管が鋼製箱桁から突き出していたため外観が良くなかったが、水抜きボルト・ナット１を取り付ける本実施形態では、機能の面からは、水抜きボルト１Ａの排水孔１３から水が落ちるため鋼製箱桁表面を流れて水垢を残すようなことはなく、そして意匠の面からは、排水口であることを思わせることなくボルトの機能美により、鋼製箱桁の外観を良くしている。
【００２３】
次に、図４は、滞水防止用水抜き構造の第２実施形態を示した図である。本実施形態の滞水防止用水抜き構造は、第１実施形態と同様に橋梁を構成する鋼製箱桁に設けられたものであり、下フランジ１１３に穿設された貫通孔１３１に水抜きボルト・ナット２が取り付けられたものである。水抜きボルト・ナット２は、貫通孔１３１を塞ぐように取り付けられ、それ自身に形成された水抜き流路を通して鋼製箱桁内の水を外へ（図面上方から下方へ）排水しようとするものである。そこで図５は、水抜きボルト・ナット２を構成する水抜きボルトを示した図であり、また、図６は、水抜きボルト・ナット２を構成する水抜きナットを示した図である。
【００２４】
本実施形態の水抜きボルト２Ａ及び水抜きナット２Ｂも市販のボルトやナットをを加工したものであが、前記第１実施形態のものとは異なる次のような加工が施されている。
先ず、水抜きボルト２Ａは、ネジ部２１の外径が下フランジ１１３の貫通孔１３１よりも僅かに小さいものが使用され、そのボルトヘッド２２には軸方向に貫通した排水孔２３が形成されている。排水孔２３は、軸方向に見てネジ部２１に干渉する位置に形成されており、ネジ部２１には排水孔２３から延長して案内溝２４が形成されている。
【００２５】
案内溝２４は、ネジ部２１に形成された雄ネジを横切るようにボルト先端部にまで形成されている。本実施形態では、こうした排水孔２３と案内溝２４が中心軸を支点に９０度の等間隔で４箇所に形成されている。
一方の水抜きナット２Ｂには、図４に示すように水抜きボルト２Ａに螺設された際下フランジ１１３に当接する座面側に排水溝２５が形成されている。本実施形態の水抜きナット２Ｂは、６側面の全てにおいて雌ネジが形成されたネジ部２６に開通する排水溝２５が放射状に形成されている。そして、こうした水抜きボルト２Ａや水抜きナット２Ｂは、錆対策としてステンレス製のものが使用される。
【００２６】
水抜きボルト・ナット２は、鋼製箱桁を工場で組み立てる際、図４に示すように下フランジ１１３に形成された貫通孔１３１に装着される。水抜きボルト２Ａのネジ部２１が下フランジ１１３の下側から挿入され、下フランジ１１３の上側では貫通したネジ部２１に水抜きナット２Ｂが螺設される。なお、このとき十分な締め付け力を確保できない場合には、ダブルナットにすることも考えられる。
【００２７】
そして、水抜きボルト・ナット２は、排水溝２５から案内溝２４、そして排水孔２３へと水抜き流路が形成される。本実施形態では、水抜きボルト２Ａには４つの排水孔２３及び案内溝２４が形成され、水抜きナット２Ｂには６つの排水溝２５が形成されている。水抜きボルト２Ａと水抜きナット２Ｂの締め付け位置を一義的に決定できないため、複数の箇所で部分的に排水溝２５と案内溝２４とが重なるようにするためである。こうして各案内溝２４と排水溝２５との連通部分のトータルが排水に十分な流量を確保できるようになる。そのため、排水孔２３の径の大きさ（それに伴う案内溝２４の幅）や排水溝２５の深さや幅は、前述した締め付け力とともに、ある程度の排水流量が確保できる大きさで形成されている。
【００２８】
そこで、こうした構成の滞水防止用水抜き構造では、橋脚を構成する鋼製箱桁内にジョイント部分の隙間などから浸入した雨水や結露によって発生した水が溜まった場合、そうした水は下フランジ１１３の貫通孔１３１に設けられた水抜きボルト・ナット２から排水される。具体的には、鋼製箱桁内の下フランジ１１３に溜まった水は、水抜きナット２Ｂに形成された排水溝２５から浸入し、その排水溝２５に重なった水抜きボルト２Ａの案内溝２４を伝わった水は排水孔２３から落下するようにして排水される。
【００２９】
よって、本実施形態によれば、従来の滞水防止用水抜き構造のように鋼製箱桁に対して排水管を溶接するようなことがないため、水抜きボルト・ナット２の簡単な取り付けにより作業が極めて簡素化された。そして、本実施形態では、溶接を行うことなくステンレス製の水抜きボルト・ナット２を単に取り付けるだけなので、錆の発生を無くすことができた。従って、錆水の落下や、錆による腐食で鋼製箱桁の耐久性低下を防ぐことができた。
【００３０】
また、水抜きボルト・ナット２は、市販品を加工して構成されたものであるため、取り付け作業の簡易さも相まって滞水防止用水抜き構造にかかるコストを抑えることができた。
更に、従来の構造では、水が鋼製箱桁表面を流れないように排水管が鋼製箱桁から突き出していたため外観が良くなかったが、水抜きボルト・ナット２を取り付ける本実施形態では、機能の面からは、水抜きボルト２Ａの排水孔２３から水が落ちるため鋼製箱桁表面を流れて水垢を残すようなことはなく、そして意匠の面からは、排水口であることを思わせることなくボルトの機能美により、鋼製箱桁の外観を良くしている。
【００３１】
なお、本発明に係る鋼箱の滞水防止用水抜き構造について実施形態を示して説明したが、本発明はこうしたものに限定されるわけではなく、その趣旨を逸脱しない範囲で様々な変更が可能である。
前記実施形態では、下フランジ１１３に対して水抜きボルト１Ａのボルトヘッド１２を直接当接させていたが、例えば図７に示すように下フランジ１１３下面とボルトヘッド１２との間に座金１７を挟み込んで密着させるようにしてもよい。これにより、案内溝１４を通って流れた水が下フランジ１１３の下面すなわち鋼製箱桁の表面を伝わらず、排水孔１３から落下するように排水されるので鋼製箱桁表面を流れて水垢を残すようなことはい。
【００３２】
また、前記実施形態の滞水防止用水抜き構造では、下フランジ１１３の貫通孔１３１に対して水抜きボルト１Ａを下から挿入し、上方で水抜きナット１Ｂを螺設するように構成していた。しかし、逆に図８に示すように、下フランジ１１３に対して水抜きボルト１Ｃを上から挿入し、下方で水抜きナット１Ｂを座金１８を介して螺設するように構成してもよい。この場合、案内溝１４に鋼製箱桁内の水が流れるように水抜きボルト１Ｃのボルトヘッド１２には水抜きナット１Ｂと同様に排水溝１９が形成され、水抜きナット１Ｂと下フランジ１１３との間には、水が下フランジ１１３の下面すなわち鋼製箱桁の表面を伝わらないように座金１８が挟んである。
【図面の簡単な説明】
【００３３】
【図１】滞水防止用水抜き構造の第１実施形態を示した図である。
【図２】第１実施形態の水抜きボルトを示した図である。
【図３】第１実施形態の水抜きナットを示した図である。
【図４】滞水防止用水抜き構造の第２実施形態を示した図である。
【図５】第２実施形態の水抜きボルトを示した図である。
【図６】第２実施形態の水抜きナットを示した図である。
【図７】滞水防止用水抜き構造の変形例を示した図である。
【図８】滞水防止用水抜き構造の変形例を示した図である。
【図９】鋼製箱桁で構成された橋梁の橋桁を示した一部切欠き概略斜視図である。
【図１０】従来における鋼箱の滞水防止用水抜き構造を示した断面図である。
【符号の説明】
【００３４】
１    水抜きボルト・ナット
１Ａ  水抜きボルト
１Ｂ  水抜きナット
１１  ネジ部
１２  ボルトヘッド
１３  排水孔
１４  案内溝
１５  排水溝
１６  ネジ部
１１３  下フランジ
１３１  貫通孔
【図１】
2006299750.tif 000003
【図２】
2006299750.tif 000004
【図３】
2006299750.tif 000005
【図４】
2006299750.tif 000006
【図５】
2006299750.tif 000007
【図６】
2006299750.tif 000008
【図７】
2006299750.tif 000009
【図８】
2006299750.tif 000010
【図９】
2006299750.tif 000011
【図１０】
2006299750.tif 000012